(57)【要約】【課題】第１フレームと第２フレームとが互いに相対移動することによって第２フレームの開口が開閉される場合において、開口からの現像剤の漏れを防止するために第２フレームに設けられたシール部材の不必要な変形を防止することができる現像剤カートリッジ、ならびに、この現像剤カートリッジが装備される現像装置および画像形成装置を提供すること。【解決手段】トナーシール９２は、内側通過口８９が開かれた状態において内側通過口８９でのトナーの通過方向Ｘ（略前後方向）から投影したときに、外側筐体８２と重なる位置とは異なる位置（外側筐体８２と重ならない位置）に配置される。つまり、内側通過口８９が開かれた状態では、トナーシール９２は、外側筐体８２に接触しないので、トナーシール９２が外側筐体８２との接触によって変形することを防止できる。【選択図】図１２
0003167176.tif 000002
【実用新案登録請求の範囲】
【請求項１】
第１フレームと、
前記第１フレームに対向配置され、現像剤が通過するための開口が形成されており、前記第１フレームとの相対移動により前記第１フレームによって前記開口が開閉される第２フレームと、
前記第２フレームにおいて前記開口の周りに設けられたシール部材とを備え、
前記シール部材は、前記開口が開かれた状態において前記開口での現像剤の通過方向から投影したときに、前記第１フレームと重ならないように構成されたことを特徴とする、現像剤カートリッジ。
【請求項２】
前記第１フレームには、開かれた状態にある前記開口に対向して連通する連通穴が形成されており、
前記シール部材は、前記開口が開かれた状態において前記通過方向から投影したときに、前記第１フレームにおいて前記連通穴を縁取る部分と重ならないように構成されることにより前記連通穴から露出されることを特徴とする、請求項１に記載の現像剤カートリッジ。
【請求項３】
前記第１フレームは、前記第２フレームの外側に配置されており、
前記シール部材は、前記開口が開かれた状態において前記第１フレームの外表面よりも外側へ突出していることを特徴とする、請求項１または２に記載の現像剤カートリッジ。
【請求項４】
前記第２フレームが前記第１フレームに対して相対移動するときに前記第１フレームにおいて前記シール部材に対向する第１フレーム側対向部分には、傾斜面が形成されていることを特徴とする、請求項１ないし３のいずれかに記載の現像剤カートリッジ。
【請求項５】
前記第２フレームが前記第１フレームに対して相対移動するときに前記シール部材において前記第１フレームに対向するシール側対向部分には、傾斜面が形成されていることを特徴とする、請求項１ないし４のいずれかに記載の現像剤カートリッジ。
【請求項６】
請求項１ないし５のいずれかに記載の現像剤カートリッジを備え、前記現像剤カートリッジの現像剤によって静電潜像を可視像化することを特徴とする、現像装置。
【請求項７】
請求項１ないし５のいずれかに記載の現像剤カートリッジと、
前記現像剤カートリッジが装着される画像形成装置本体とを備えていることを特徴とする、画像形成装置。
【考案の詳細な説明】
【技術分野】
【０００１】
本考案は、レーザプリンタなどの画像形成装置に供給される現像剤を収容する現像剤カートリッジ、ならびに、この現像剤カートリッジが装備される現像装置および画像形成装置に関する。
【背景技術】
【０００２】
レーザプリンタなどの画像形成装置や、画像形成装置に含まれる現像装置に装備され、現像剤を収容する現像剤カートリッジが知られている。
【０００３】
たとえば、このような現像剤カートリッジとして、特許文献１に記載のトナーボックスは、トナーが収容される内側筐体と、この内側筐体を収容して回動自在に支持する外側筐体とを備える二重構造であり、レーザプリンタのプロセスユニットに装着されている。
【０００４】
外側筐体には第１トナー排出口が形成され、内側筐体には第２トナー排出口が形成されている。このトナーボックスでは、内側筐体を外側筐体に対して回動（相対移動）させて第１トナー排出口と第２トナー排出口とを対向および連通させることによって第２トナー排出口を開き、内側筐体内のトナーを第１トナー排出口および第２トナー排出口からプロセスユニットへ供給することができる。
【０００５】
また、内側筐体の外側表面において第２トナー排出口のまわりには、弾性材料で形成された第１径方向突起が設けられている。第２トナー排出口が開かれているときに、第１径方向突起は、第１トナー排出口から部分的に露出されることでプロセスユニットに接触することができる。これにより、第１径方向突起がプロセスユニットと内側筐体との間を空密的かつ液密的に保つことができるので、第２トナー排出口からのトナー漏れが防止される。つまり、第１径方向突起は、シール部材として機能する。
【特許文献１】特開２００７−２９３２６８号公報
【考案の概要】
【考案が解決しようとする課題】
【０００６】
特許文献１に記載のトナーボックスでは、第２トナー排出口が開かれているときに第１径方向突起が第１トナー排出口から部分的に露出されるので、第１径方向突起には、内側筐体と外側筐体とに圧縮される領域が部分的に存在する。これに伴い、第１径方向突起が不必要に変形し、第１径方向突起において変形した箇所でトナー漏れが発生するおそれがある。
【０００７】
本考案の目的は、第１フレームと第２フレームとが互いに相対移動することによって第２フレームの開口が開閉される場合において、開口からの現像剤の漏れを防止するために第２フレームに設けられたシール部材の不必要な変形を防止することができる現像剤カートリッジ、ならびに、この現像剤カートリッジが装備される現像装置および画像形成装置を提供することにある。
【課題を解決するための手段】
【０００８】
上記目的を達成するため、請求項１に記載の考案は、トナーカートリッジであって、第１フレームと、前記第１フレームに対向配置され、現像剤が通過するための開口が形成されており、前記第１フレームとの相対移動により前記第１フレームによって前記開口が開閉される第２フレームと、前記第２フレームにおいて前記開口の周りに設けられたシール部材とを備え、前記シール部材は、前記開口が開かれた状態において前記開口での現像剤の通過方向から投影したときに、前記第１フレームと重ならないように構成されたことを特徴としている。
【０００９】
また、請求項２に記載の考案は、請求項１に記載の考案において、前記第１フレームには、開かれた状態にある前記開口に対向して連通する連通穴が形成されており、前記シール部材は、前記開口が開かれた状態において前記通過方向から投影したときに、前記第１フレームにおいて前記連通穴を縁取る部分と重ならないように構成されることにより前記連通穴から露出されることを特徴としている。
【００１０】
また、請求項３に記載の考案は、請求項１または２に記載の考案において、前記第１フレームは、前記第２フレームの外側に配置されており、前記シール部材は、前記開口が開かれた状態において前記第１フレームの外表面よりも外側へ突出していることを特徴としている。
【００１１】
また、請求項４に記載の考案は、請求項１ないし３のいずれかに記載の考案において、前記第２フレームが前記第１フレームに対して相対移動するときに前記第１フレームにおいて前記シール部材に対向する第１フレーム側対向部分には、傾斜面が形成されていることを特徴としている。
【００１２】
また、請求項５に記載の考案は、請求項１ないし４のいずれかに記載の考案において、前記第２フレームが前記第１フレームに対して相対移動するときに前記シール部材において前記第１フレームに対向するシール側対向部分には、傾斜面が形成されていることを特徴としている。
【００１３】
また、請求項６に記載の考案は、現像装置であって、請求項１ないし５のいずれかに記載の現像剤カートリッジを備え、前記現像剤カートリッジの現像剤によって静電潜像を可視像化することを特徴としている。
【００１４】
また、請求項７に記載の考案は、画像形成装置であって、請求項１ないし５のいずれかに記載の現像剤カートリッジと、前記現像剤カートリッジが装着される画像形成装置本体とを備えていることを特徴としている。
【考案の効果】
【００１５】
請求項１、６および７に記載の考案によれば、この現像剤カートリッジでは、第１フレームと第１フレームに対向配置された第２フレームとの相対移動により、第２フレームの開口が第１フレームによって開閉される。開口が開かれると開口での現像剤の通過が許容され、開口が閉じられると開口での現像剤の通過が規制される。そして、第２フレームにおいて開口の周りに設けられたシール部材によって、開口からの現像剤の漏れが防止される。
【００１６】
ここで、シール部材は、開口が開かれた状態において開口での現像剤の通過方向から投影したときに、第１フレームと重ならないように構成される。つまり、開口が開かれた状態では、シール部材は、第１フレームに接触しないので、シール部材が第１フレームとの接触によって変形することを防止できる。
【００１７】
請求項２に記載の考案によれば、第１フレームに形成された連通穴が、開かれた状態にある開口に対向して連通するので、現像剤は、開口だけでなく連通穴も通過する。
【００１８】
ここで、シール部材は、開口が開かれた状態において開口での現像剤の通過方向から投影したときに、第１フレームにおいて連通穴を縁取る部分と重ならないように連通穴から露出される。つまり、開口が開かれた状態では、シール部材は、第１フレームにおいて連通穴を縁取る部分に接触することなく、連通穴から完全に露出されるので、シール部材が、第１フレームとの接触によって変形することを防止できる。
【００１９】
請求項３に記載の考案によれば、第１フレームが第２フレームの外側に配置された場合に、シール部材は、開口が開かれた状態において第１フレームの外表面よりも外側へ突出しているので、現像剤カートリッジから現像剤が供給される外部の部材に密着して、この部材と開口との間での現像剤の漏れを防止することができる。
【００２０】
請求項４に記載の考案によれば、第２フレームが第１フレームに対して相対移動するときに第１フレームにおいてシール部材に対向する第１フレーム側対向部分には、傾斜面が形成されている。そのため、第２フレームが第１フレームに対して相対移動するときに、シール部材と第１フレームとを、第１フレーム側対向部分の傾斜面において緩やかに接触させることができる。そのため、シール部材と第１フレームとが接触しても、シール部材が損傷することを防止できる。
【００２１】
また、シール部材と第１フレームとが、第１フレーム側対向部分の傾斜面において緩やかに接触する。そのため、たとえば第１フレームが第２フレームの外側に配置された場合において、第２フレームが第１フレームに対して相対移動するときに、シール部材は、第１フレーム側対向部分に引っ掛かることなく、第１フレームの内側へ円滑に移動することができる。
【００２２】
請求項５に記載の考案によれば、第２フレームが第１フレームに対して相対移動するときにシール部材において第１フレームに対向するシール側対向部分には、傾斜面が形成されている。そのため、第２フレームが第１フレームに対して相対移動するときに、シール部材と第１フレームとを、シール側対向部分の傾斜面において緩やかに接触させることができる。そのため、シール部材と第１フレームとが接触しても、シール部材が損傷することを防止できる。
【００２３】
また、シール部材と第１フレームとが、シール側対向部分の傾斜面において緩やかに接触する。そのため、たとえば第１フレームが第２フレームの外側に配置された場合において、第２フレームが第１フレームに対して相対移動するときに、シール部材は、シール側対向部分において第１フレームに引っ掛かることなく、第１フレームの内側へ円滑に移動することができる。
【図面の簡単な説明】
【００２４】
【図１】本考案の一実施形態に係る画像形成装置の一例としてのレーザプリンタの左側断面図である。
【図２】図２は、図１に示すレーザプリンタのプロセスカートリッジ（トナーカートリッジが装着され、揺動アームが押圧位置にある状態）の左側断面図である。
【図３】図３（ａ）は、図１に示すレーザプリンタのプロセスカートリッジ（トナーカートリッジが離脱され、揺動アームが押圧解除位置にある状態）の左側断面図であり、図３（ｂ）は、図３（ａ）の要部拡大図である。
【図４】図２に示すプロセスカートリッジを斜め右前側から見た斜視図である。
【図５】プロセスカートリッジを斜め右前側から見た分解斜視図である。
【図６】図４において、プロセスカートリッジを省略した図である。
【図７】図７（ａ）は、トナーカートリッジの内側筐体（トナーシールが貼着される前の状態）を斜め左後側から見た斜視図である。図７（ｂ）は、図７（ａ）に示す内側筐体の、内側通過口における要部側断面図である。
【図８】図８（ａ）は、図７（ａ）において、トナーシールが貼着された状態を示す。図８（ｂ）は、図７（ｂ）において、トナーシールが貼着された状態を示す。
【図９】図９は、トナーカートリッジ（内側筐体が開位置にある状態）を斜め左後側から見た斜視図である。
【図１０】図１０は、図２において、揺動アームが押圧位置と押圧解除位置との間にある状態を示す図である。
【図１１】図１１は、図２において、揺動アームが押圧解除位置にある状態を示す図である。
【図１２】図１２（ａ）は、従来例に係るトナーカートリッジ（内側筐体が開位置にある状態）の左側断面図であり、図１２（ｂ）は、図１２（ａ）に第１実施例を適用した図であり、図１２（ｃ）は、図１２（ｂ）におけるトナーカートリッジの背面図である。
【考案を実施するための形態】
【００２５】
１．レーザプリンタの全体構成
図１は、本考案の一実施形態に係る画像形成装置の一例としてのレーザプリンタの左側断面図である。図２は、図１に示すレーザプリンタのプロセスカートリッジ（トナーカートリッジが装着され、揺動アームが押圧位置にある状態）の左側断面図である。
【００２６】
このレーザプリンタ１は、図１に示すように、画像形成装置本体の一例としての本体ケーシング２内に用紙３を給紙するための給紙部４と、給紙された用紙３に画像を形成するための画像形成部５と、画像が形成された用紙３を排紙する排紙部６と、を備えている。
【００２７】
（１）本体ケーシング
本体ケーシング２は、ボックス形状に形成されており、その一方側の側壁には、開放口が形成され、その開放口を開閉するフロントカバー７が設けられている。そのフロントカバー７を開くことにより、現像装置の一例としてのプロセスカートリッジ１７（後述する）を、本体ケーシング２に対して、図示太線矢印方向に沿って着脱させることができる。
【００２８】
なお、以下の説明では、フロントカバー７が設けられる側を前側（正面側）とし、その反対側を後側（背面側）とする。また、図１における紙厚方向手前側を左側とし、図１における紙厚方向奥側を右側とする。左右方向と幅方向とは同義である。略水平方向には前後方向および左右方向が含まれる。また、後述するプロセスカートリッジ１７、および、現像剤カートリッジの一例としてのトナーカートリッジ３１の説明においては、フレーム側通過口３４（後述する）とカートリッジ側通過口４７（後述する）とが略水平方向（前後方向）に沿って対向している状態を基準とする。
【００２９】
（２）給紙部
給紙部４は、給紙トレイ９と、給紙ローラ１０と、給紙パッド１１と、紙粉取ローラ１２および１３と、レジストローラ１４と、用紙押圧板１５とを備えている。用紙押圧板１５の最上位にある用紙３は、給紙ローラ１０と給紙パッド１１とで１枚毎に送り出されて各種ローラ１２〜１４を通った後、画像形成部５の転写位置（後述する）に搬送される。
【００３０】
（３）画像形成部
画像形成部５は、スキャナユニット１６、プロセスカートリッジ１７および定着部１８を備えている。
【００３１】
（３−１）スキャナユニット
スキャナユニット１６は、本体ケーシング２内の上部に設けられ、レーザ発光部（図示せず）、回転駆動されるポリゴンミラー１９、複数のレンズ２０および複数の反射鏡２１を備えている。画像データに基づいてレーザ発光部から発光されるレーザビームは、１点鎖線で示すように、ポリゴンミラー１９で反射され、複数のレンズ２０および複数の反射鏡２１を通過または反射して、プロセスカートリッジ１７の感光ドラム２５（後述する）の表面へ走査される。
【００３２】
（３−２）プロセスカートリッジ
プロセスカートリッジ１７は、本体ケーシング２内においてスキャナユニット１６の下方の空間に収容され、本体ケーシング２に対して着脱可能に装着される。
【００３３】
プロセスカートリッジ１７は、図２に示すように、用紙３の通過を許容する転写パス２９が形成された中空のプロセスフレーム２２と、プロセスフレーム２２のカートリッジ保持部３３（後述する）に着脱可能に装着されるトナーカートリッジ３１とを備えている。
【００３４】
プロセスフレーム２２において、その前後方向における略中央位置には、上下方向に延びる仕切壁２３が設けられている。プロセスフレーム２２の内側空間において、仕切壁２３の後側部分は現像部３２とされ、仕切壁２３の前側部分は、上述したカートリッジ保持部３３とされている。仕切壁２３には、フレーム側通過口３４が形成されている。フレーム側通過口３４によって、現像部３２とカートリッジ保持部３３とが連通している。
【００３５】
現像部３２によって、感光ドラム２５、スコロトロン型帯電器２６、転写ローラ２８、供給ローラ３６、現像ローラ３７、層厚規制ブレード３８およびオーガ３９が保持されている。ここで、感光ドラム２５、転写ローラ２８、供給ローラ３６、現像ローラ３７およびオーガ３９は、プロセスフレーム２２に回転自在に支持されている。
【００３６】
スコロトロン型帯電器２６は、感光ドラム２５の上方において、感光ドラム２５と間隔を隔てて、プロセスフレーム２２に支持されている。転写ローラ２８は、感光ドラム２５に対して下側から対向配置されている。現像ローラ３７は、感光ドラム２５に対して前側から対向配置されている。供給ローラ３６は、現像ローラ３７に対して前側から対向配置されている。層厚規制ブレード３８は、上端がプロセスフレーム２２に固定される薄板形状の板バネ部材４５と、板バネ部材４５の下端部に設けられ、板バネ部材４５の弾性力によって現像ローラ３７の表面を押圧する圧接ゴム４６とを備えている。オーガ３９は、幅方向に沿って延びる軸と、その軸の外表面に形成された螺旋状の翼とを備えており、供給ローラ３６の上方かつ、フレーム側通過口３４の後方に隣接配置されている。
【００３７】
トナーカートリッジ３１は、プロセスフレーム２２に対して着脱自在に装着され、装着時には、カートリッジ保持部３３に保持されている。トナーカートリッジ３１は、略円筒形状に形成されている。トナーカートリッジ３１には、内側と外側とを連通させるためのカートリッジ側通過口４７が形成されている。
【００３８】
トナーカートリッジ３１内には、アジテータ９３が回転自在に設けられている。また、トナーカートリッジ３１内には、現像剤の一例としての、非磁性一成分の正帯電性トナーが収容されている。トナーの平均粒径（直径）は、約６〜１０μｍである。
【００３９】
トナーカートリッジ３１内のトナーは、アジテータ９３の回転により攪拌され、カートリッジ側通過口４７からフレーム側通過口３４に受け入れられて、現像部３２内へ放出される。放出されたトナーは、回転するオーガ３９の翼によって幅方向へ搬送され、その途中で落下し、供給ローラ３６に供給される。
【００４０】
供給ローラ３６に供給されたトナーは、供給ローラ３６の回転により、現像ローラ３７に供給される。このとき、このトナーは、供給ローラ３６と現像ローラ３７との間で正極性に摩擦帯電される。続いて、現像ローラ３７に供給されたトナーは、現像ローラ３７の回転に伴って、圧接ゴム４６と現像ローラ３７との間に進入し、それらの間で層厚が規制されながら、現像ローラ３７の表面に薄層として担持される。なお、トナーは、圧接ゴム４６と現像ローラ３７との間に進入するときにおいても正極性に摩擦帯電される。
【００４１】
そして、感光ドラム２５の表面は、感光ドラム２５の回転に伴って、まず、スコロトロン型帯電器２６により一様に正帯電された後、スキャナユニット１６からのレーザビームによって露光される。これにより、感光ドラム２５の表面には、画像データに基づく静電潜像が形成される。次いで、現像ローラ３７の回転により、現像ローラ３７の表面に担持されているトナーが、感光ドラム２５に対向して接触するときに、感光ドラム２５の表面に形成されている静電潜像に供給される。これによって、静電潜像は現像（可視像化）されて、感光ドラム２５の表面にトナー像が担持される。このトナー像は、転写パス２９において感光ドラム２５と転写ローラ２８との間（転写位置）に搬送された用紙３上に転写される。
【００４２】
（３−３）定着部
定着部１８は、図１に示すように、プロセスカートリッジ１７の後側に設けられている。定着部１８は、加熱ローラ４８と、加熱ローラ４８に対して下側から圧接される加圧ローラ４９と、それらの後側に配置される１対の搬送ローラ５０とを備えている。
【００４３】
定着部１８では、転写位置において用紙３に転写されたトナーを、用紙３が加熱ローラ４８と加圧ローラ４９との間を通過する間に熱定着させる。その後、この用紙３は、１対の搬送ローラ５０によって、排紙部６に搬送される。
【００４４】
（４）排紙部
排紙部６は、排紙パス５１、排紙ローラ５２および排紙トレイ５３を備えている。定着部１８から排紙部６に搬送された用紙３は、排紙パス５１から排紙ローラ５２に搬送され、排紙ローラ５２によって排紙トレイ５３上に排紙される。
【００４５】
２．プロセスカートリッジの詳細
図３（ａ）は、図１に示すレーザプリンタのプロセスカートリッジ（トナーカートリッジが離脱され、揺動アームが押圧解除位置にある状態）の左側断面図であり、図３（ｂ）は、図３（ａ）の要部拡大図である。図４は、図２に示すプロセスカートリッジを斜め右前側から見た斜視図である。図５は、プロセスカートリッジを斜め右前側から見た分解斜視図である。図６は、図４において、プロセスカートリッジを省略した図である。
【００４６】
（１）プロセスフレーム
プロセスフレーム２２には、図３に示すように、上記した現像部３２およびカートリッジ保持部３３が形成されている。
【００４７】
（１−１）現像部
現像部３２は、図３および図４に示すように、上壁５４、底壁５５、両側壁５６、および、上述した仕切壁２３で区画された空間である。両側壁５６は、前後方向に沿って延び、幅方向において互いに間隔を隔てて対向配置されている。
【００４８】
図２に示すように、仕切壁２３の上下方向途中には、湾曲部分５７が形成されている。湾曲部分５７の前側面は、トナーカートリッジ３１の外周面に沿うように後側へ滑らかに窪んでいる。湾曲部分５７には、上記したフレーム側通過口３４が形成されている。図６に示すように、フレーム側通過口３４は、具体的には、幅方向に間隔を隔てて３つ形成されている。各フレーム側通過口３４は、幅方向に細長い略矩形状に形成されており、カートリッジ保持部３３に臨んでいる。
【００４９】
図３に示すように、湾曲部分５７の前側面には、フレーム側通過口３４からカートリッジ保持部３３へのトナーの漏れを防止するためのフレームシール５８が貼着されている。
【００５０】
フレームシール５８は、弾性を有する発泡体から、幅方向に延びる帯状に形成されている。フレームシール５８には、各フレーム側通過口３４に対応して、３つの切欠部分５９が幅方向に間隔を隔てて形成されている。各切欠部分５９は、対応するフレーム側通過口３４とほぼ同じ大きさの貫通穴であり、対応するフレーム側通過口３４に対して前側から対向し、連通している。この状態において、フレームシール５８は、各切欠部分５９が対応するフレーム側通過口３４を取り囲むように、フレーム側通過口３４の周りに配置され、カートリッジ保持部３３内に向かって突出している。
【００５１】
（１−２）カートリッジ保持部
カートリッジ保持部３３は、図５に示すように、両側板６３、底板６４および仕切壁２３で区画された空間である。両側板６３は、現像部３２において対応する両側壁５６と連続し、底板６４は、現像部３２の底壁５５と連続している。
【００５２】
両側板６３の幅方向内側面には、シャッタ支持部６５がそれぞれ設けられている。シャッタ支持部６５は、幅方向から見て略円弧の断面形状を有する直方体形状であり、側板６３の幅方向内側面から内側に膨出している。
【００５３】
シャッタ支持部６５の幅方向内側面には、シャッタガイド部７８が設けられている。シャッタガイド部７８は、シャッタ支持部６５の幅方向内側面から内側に膨出する凸条をなし、仕切壁２３の湾曲部分５７と前後方向にわずかな間隔を隔てて対向配置されている。シャッタガイド部７８は、湾曲部分５７とほぼ同じ曲率の湾曲形状に形成されている。
【００５４】
両側板６３の幅方向内側面には、上側固定部６６がそれぞれ設けられている。上側固定部６６は、幅方向から見て斜め後側下方へ窪む略Ｕ字形状であり、側板６３の幅方向内側面から内側に膨出している。底板６４の前端縁の幅方向中央には、前側にわずかに突出する下側固定部６７が形成されている（図３（ａ）参照）。
【００５５】
カートリッジ保持部３３には、フレーム側通過口３４を開閉するシャッタ６８が設けられている。
【００５６】
シャッタ６８は、幅方向に延びる略矩形板状をなし、仕切壁２３の湾曲部分５７とほぼ同じ曲率の湾曲形状に形成されている。シャッタ６８は、幅方向において各シャッタガイド部７８の間に延び、上下方向において各シャッタガイド部７８より長く延びるように、形成されている。シャッタ６８には、各フレーム側通過口３４に対応して、それらに対向できる３つのシャッタ開口部６９が幅方向に間隔を隔てて形成されている。
【００５７】
シャッタ６８は、図３に示すように、フレームシール５８が貼着された湾曲部分５７に対して前側から対向配置され、その幅方向両端部が、湾曲部分５７と各シャッタガイド部７８との間でスライド自在に挟持されている。
【００５８】
これによって、シャッタ６８は、各シャッタガイド部７８に沿って、フレーム側通過口３４を開放する開位置（図２および図６参照）と、フレーム側通過口３４を閉鎖する閉位置（図３および図５参照）との間を上下方向に揺動自在に、支持される。
【００５９】
詳しくは、開位置にあるシャッタ６８を上方ヘ所定距離移動させたときのシャッタ６８の位置が閉位置である。
【００６０】
シャッタ６８が開位置にあるとき、図２に示すように、各フレーム側通過口３４および切欠部分５９は、対応するシャッタ開口部６９と対向および連通し、外側（前側）に開放される（図６も参照）。このとき、フレームシール５８において切欠部分５９から遠い部分は、フレーム側通過口３４とシャッタ開口部６９との間を取り囲むように、仕切壁２３の湾曲部分５７とシャッタ６８との間で圧縮されている。これにより、連通状態にあるフレーム側通過口３４およびシャッタ開口部６９から、湾曲部分５７とシャッタ６８との間へのトナー漏れが防止されている。
【００６１】
シャッタ６８が閉位置にあるとき、図３に示すように、各フレーム側通過口３４および切欠部分５９は、シャッタ６８においてシャッタ開口部６９よりも下側の部分によって、前側から閉鎖される。
【００６２】
また、図５に示すように、カートリッジ保持部３３には、揺動アーム７０が設けられている。揺動アーム７０は、平面視略Ｕ字状に形成されている。揺動アーム７０は、幅方向に延びる把持杆７１と、その把持杆７１の幅方向両端部から後側に延びるアーム側板７２とを一体的に備えている。
【００６３】
各アーム側板７２の後端部には、幅方向外方に突出するボス７３が設けられている。各ボス７３は、対応する側板６３に形成されている丸穴７４に回動自在に支持されている。
【００６４】
また、各アーム側板７２の後端部の上側縁には、下側へ窪むように切り欠かれる受入凹部７５が形成されている。
【００６５】
揺動アーム７０は、各アーム側板７２のボス７３を支点として、各アーム側板７２の下端縁が底板６４の前端縁に接触する押圧解除位置（図３および図５参照）と、トナーカートリッジ３１がカートリッジ保持部３３に保持されたときに、トナーカートリッジ３１を前側から押圧する押圧位置（図２、図４および図６参照）と、の間を揺動する。
【００６６】
（２）トナーカートリッジ
図７（ａ）は、トナーカートリッジの内側筐体（トナーシールが貼着される前の状態）を斜め左後側から見た斜視図である。図７（ｂ）は、図７（ａ）に示す内側筐体の、内側通過口における要部側断面図である。図８（ａ）は、図７（ａ）において、トナーシールが貼着された状態を示す。図８（ｂ）は、図７（ｂ）において、トナーシールが貼着された状態を示す。図９は、トナーカートリッジ（内側筐体が開位置にある状態）を斜め左後側から見た斜視図である。図１０は、図２において、揺動アームが押圧位置と押圧解除位置との間にある状態を示す。図１１は、図２において、揺動アームが押圧解除位置にある状態を示す。
【００６７】
トナーカートリッジ３１は、図７ないし図１１に示すように、トナーを収容する第２フレームの一例としての内側筐体８１と、内側筐体８１を収容する（換言すれば内側筐体８１の外側に配置される）第１フレームの一例としての外側筐体８２とを備えている。
【００６８】
（２−１）内側筐体
内側筐体８１は、図７（ａ）に示すように、幅方向に延びる円筒形状の内側周壁８３と、内側周壁８３の幅方向両端部を閉鎖する円板形状の１対の内側側壁８４とを一体的に備えている。以下では、特に言及しない限り、後述する開口の一例としての内側通過口８９が後方に向いている状態を基準として説明する。
【００６９】
内側側壁８４の周縁部には、その周上１箇所（図７（ａ）における上端部）に、スライド突起８６が設けられている。スライド突起８６は、内側側壁８４の外周面に沿う側面視円弧形状に形成されており、内側側壁８４から幅方向外側へ突出するように設けられている。
【００７０】
内側側壁８４には、その後側部分において、周端面から径方向に突出する１対の挟持突起８７が設けられている。１対の挟持突起８７は、内側側壁８４の周端面において、互いに周方向に間隔（シャッタ６８の周方向長さに相当する間隔）を隔てて、配置されている。
【００７１】
内側周壁８３には、幅方向両側に配置される１対の挟持突起８７（４つの挟持突起８７）に囲まれる囲繞部分８８において、カートリッジ側通過口４７の一部をなす内側通過口８９が形成されている。
【００７２】
内側通過口８９は、幅方向に細長い背面視略矩形状であり、具体的には、３つのフレーム側通過口３４（図６参照）に対応して、幅方向に間隔を隔てて３つ形成されている。画像形成時には、各内側通過口８９は、幅方向において対応する位置にあるフレーム側通過口３４（図６参照）およびシャッタ６８のシャッタ開口部６９（図６参照）に対向する。
【００７３】
図８に示すように、囲繞部分８８の外表面には、各内側通過口８９に対応して、内側通過口８９からのトナーの漏れを防止するためのトナーシール９２（ドットで塗り潰した部分）が３つ貼着されている。トナーシール９２は、シール部材の一例として機能する。トナーシール９２は、弾性を有する発泡体（商品名：ポロン、（株）ロジャースイノアック製）から、背面視において幅方向に長手の矩形状かつ、前後方向にほぼ均一な長さ（厚さ）を有する帯状に形成されている。
【００７４】
トナーシール９２において、背面視における略中央位置には、各内側通過口８９に対応して、トナーシール９２を前後方向に貫通する切欠部分９６が形成されている。切欠部分９６は、対応する内側通過口８９とほぼ等しい大きさの背面視略矩形状に形成されており、対応する内側通過口８９に対向している。このように、トナーシール９２は、切欠部分９６が対応する内側通過口８９を取り囲むように、内側通過口８９の周りに配置され、径方向外側へ突設されている。
【００７５】
図２に示すように、内側筐体８１内には、アジテータ９３が設けられている。アジテータ９３は、幅方向に延びるアジテータ軸９４と、そのアジテータ軸９４から径方向外側に延びる攪拌羽根９５とを備えている。アジテータ軸９４は、両内側側壁８４に回転自在に支持されており、画像形成時において、モータ（図示せず）からの駆動力により回転する。
【００７６】
（２−２）外側筐体
外側筐体８２は、内側筐体８１を回動自在に収容すべく、内側筐体８１より幅方向および径方向においてやや大きく形成されている。外側筐体８２は、図９に示すように、幅方向に延びる略円筒形状の外側周壁９７と、外側周壁９７の幅方向両端部を閉鎖する略円板形状の１対の外側側壁９８とを一体的に備えている。以下では、特に言及しない限り、後述する連通穴の一例としての外側通過口１０２が後方に向いている状態を基準として説明する。
【００７７】
なお、外側周壁９７は、その上側および前側の上側部分の外周面の一部が、平坦形状に形成されているが、外側周壁９７の内周面は、断面円形状に形成されている（図２参照）。
【００７８】
外側側壁９８には、その上側部分において、スライド突起８６が挿通されるスライド穴９９が形成されている。スライド穴９９は、幅方向においてスライド突起８６と対向するように配置されている。スライド穴９９は、スライド突起８６よりも長い側面視円弧形状に形成されている。外側側壁９８の上端部には、幅方向外側に突出するボス１００が設けられている。外側周壁９７には、幅方向両端部において、１対の挟持突起８７（４つの挟持突起８７）がそれぞれ挿通される４つの長孔１０１が形成されている。各長孔１０１は、径方向において各挟持突起８７と対向するように配置されている。長孔１０１は、背面視おいて上下方向に延びる略矩形状をなし、シャッタ６８の開位置と閉位置との間の揺動範囲に相当する長さで、形成されている。
【００７９】
外側周壁９７には、４つの長孔１０１の間（上側の２つの長孔１０１と下側の２つの長孔１０１との間）において、カートリッジ側通過口４７の一部をなす外側通過口１０２が形成されている。
【００８０】
外側通過口１０２は、具体的には、３つの内側通過口８９およびフレーム側通過口３４（図６参照）に対応して、幅方向に間隔を隔てて３つ形成されている。各外側通過口１０２は、対応する内側通過口８９よりも大きい背面視略矩形状に形成されている。画像形成時には、各外側通過口１０２は、幅方向において対応する位置にある内側通過口８９、トナーシール９２の切欠部分９６、フレーム側通過口３４（図６参照）、フレームシール５８の切欠部分５９（図６参照）およびシャッタ６８のシャッタ開口部６９（図６参照）に対向する。
【００８１】
外側周壁９７の前側には、把持部１０３が設けられている。図２に示すように、把持部１０３は、外側周壁９７の上端部から前側へ突出する上把持板１０４と、上把持板１０４の下方において下側に延びる側面視略Ｊ字形状の係止アーム１０５とを備えている。係止アーム１０５の上端部は、上把持板１０４の下方に設けられる支持軸（図示せず）に揺動自在に支持されている。係止アーム１０５の下端部には、下側固定部６７に係止される係止爪１０６が設けられている。係止アーム１０５の上端部近傍には、前側へ突出する下把持板１０７が一体的に設けられている。下把持板１０７は、上把持板１０４と間隔を隔てて略平行に延びるように配置されており、上把持板１０４と下把持板１０７との間には、それらを離間する方向に付勢する圧縮ばね１０９が介在されている。
【００８２】
（２−３）内側筐体と外側筐体との相対配置
内側筐体８１は、外側筐体８２内に回動自在に収容され、外側筐体８２内において、外側筐体８２（外側筐体８２の内周面）に対向配置されている。
【００８３】
具体的には、内側周壁８３の外周面は、外側周壁９７の内周面に対して、周方向に摺動自在に内嵌されている。詳しくは、内側周壁８３の外周面に設けられたトナーシール９２が外側周壁９７の内周面に接触しており、このトナーシール９２が、主として、外側周壁９７の内周面に対して摺動する。また、図９に示すように、スライド穴９９には、対応するスライド突起８６が挿通されている。長孔１０１には、対応する挟持突起８７が挿通され、挟持突起８７は、長孔１０１から径方向外側へ突出している。
【００８４】
内側筐体８１は、内側通過口８９およびトナーシール９２の切欠部分９６が外側通過口１０２と対向しない閉位置（図５および図１１参照）と、内側通過口８９および切欠部分９６が外側通過口１０２と対向する開位置（図２および図９参照）との間において、外側筐体８２に対する相対移動（相対回動）が許容されている。
【００８５】
内側筐体８１が閉位置にあるときには、図５に示すように、各スライド突起８６は各スライド穴９９の前端部に配置され、各挟持突起８７が各長孔１０１の上端部に配置される。そして、図９において点線で示すように、また、図１１に示すように、内側通過口８９が外側通過口１０２より上側に配置され、外側通過口１０２が、内側周壁８３において内側通過口８９（図９では点線表示部分）より下側の部分によって径方向内側から閉鎖されている。逆に、内側通過口８９が、外側周壁９７において外側通過口１０２より上側の部分によって外側から閉鎖されている。ここで、トナーシール９２は、図１１に示すように、内側周壁８３と外側周壁９７と間で圧縮されている。
【００８６】
そして、内側通過口８９が外側通過口１０２に向かう方向（下側）へ向けて、外側筐体８２に対して内側筐体８１を相対回動させ、内側通過口８９および切欠部分９６が外側通過口１０２と対向すると、内側筐体８１は、開位置に配置される。
【００８７】
内側筐体８１が開位置に配置されると、図９に示すように、各スライド突起８６は各スライド穴９９の後端部に配置され、各挟持突起８７が各長孔１０１の下端部に配置される。また、内側通過口８９および切欠部分９６が対応する外側通過口１０２と対向し、これらが連通して開放される。
【００８８】
また、内側筐体８１が開位置に配置された状態では、各トナーシール９２が、対応する外側通過口１０２から露出されている。
【００８９】
以上のように、内側筐体８１は、開位置から閉位置へ向けて外側筐体８２に対して上向きに相対移動し、その一方で、閉位置から開位置へ向けて外側筐体８２に対して下向きに相対移動する（図２、図９および図１１参照）。そして、このトナーカートリッジ３１では、このような内側筐体８１と外側筐体８２との相対移動により、外側筐体８２によって内側通過口８９が開閉される。
【００９０】
（３）プロセスフレームに対するトナーカートリッジの着脱
（３−１）プロセスフレームに対するトナーカートリッジの装着
トナーカートリッジ３１をプロセスフレーム２２へ装着するには、図５に示すように、上把持板１０４および下把持板１０７を、圧縮ばね１０９（図２参照）の付勢力に抗して、それらが近接する方向に挟持する。そして、トナーカートリッジ３１（内側筐体８１が閉位置に配置されているトナーカートリッジ３１）を、カートリッジ保持部３３（シャッタ６８が閉位置に配置されており、揺動アーム７０が押圧解除位置に配置されているカートリッジ保持部３３）へ装着する。
【００９１】
これにより、トナーカートリッジ３１が底板６４上に載置される。このとき、各ボス１００が各上側固定部６６に受け入れられ、各スライド突起８６が各受入凹部７５に嵌合され、図２に示すように、幅方向両側の１対の挟持突起８７が、シャッタ６８の幅方向両端部の上端縁および下端縁をそれぞれ挟持する。これにより、スライド突起８６および挟持突起８７を有する内側筐体８１が、揺動アーム７０およびシャッタ６８のそれぞれと係合する。
【００９２】
その後、上把持板１０４および下把持板１０７の挟持を解除すると、圧縮ばね１０９の付勢力によって係止アーム１０５が揺動して、係止爪１０６が下側固定部６７に係止され、トナーカートリッジ３１がカートリッジ保持部３３に収容され、カートリッジ保持部３３によって保持される。
【００９３】
外側筐体８２は、上側固定部６６にボス１００が受け入れられ、かつ、下側固定部６７に係止爪１０６が係止されていることから、カートリッジ保持部３３で固定される。このとき、図１１に示すように、フレーム側通過口３４と、対応するカートリッジ側通過口４７（詳しくは外側通過口１０２）とは、閉位置にあるシャッタ６８を挟んで前後方向に対向している。
【００９４】
そして、揺動アーム７０を、押圧解除位置から押圧位置へ揺動させる。これにより、各受入凹部７５（図５参照）に嵌合されている各スライド突起８６が、各アーム側板７２の揺動に伴って、各スライド穴９９を後側へスライドして、各スライド穴９９の後端部に配置される（図９参照）。それに伴って、幅方向両側の１対の挟持突起８７が、シャッタ６８を挟持したまま、各長孔１０１を下側へスライドして、各長孔１０１の下端部に配置される（図９参照）。
【００９５】
これによって、内側筐体８１が開位置に配置され、図２および図９に示すように、各内側通過口８９およびトナーシール９２の切欠部分９６が、対応する各外側通過口１０２と、略水平方向に対向して、これらが連通される。また、内側筐体８１と係合するシャッタ６８が、内側筐体８１と一体的に移動して開位置に配置され、フレーム側通過口３４およびフレームシール５８の切欠部分５９が、対応するシャッタ開口部６９およびカートリッジ側通過口４７（連通状態にある内側通過口８９、切欠部分９６および外側通過口１０２が含まれる。）と、略水平方向に対向して、これらが連通される。
【００９６】
また、図２に示すように、内側筐体８１およびシャッタ６８がともに開位置にあるときに、外側周壁９７の径方向外側まで突出する各トナーシール９２が、対応するシャッタ開口部６９を隙間なく取り囲むように、後側へ突出している。
【００９７】
このように、内側通過口８９とフレーム側通過口３４との間が、フレームシール５８、トナーシール９２およびシャッタ６８によって、隙間なく取り囲まれるので、内側通過口８９とフレーム側通過口３４との間でのトナー漏れが防止される。
【００９８】
そして、画像形成時には、アジテータ９３の攪拌により、内側筐体８１内のトナーが、図示太線矢印で示すように、内側通過口８９、トナーシール９２の切欠部分９６、外側通過口１０２、シャッタ開口部６９、フレームシール５８の切欠部分５９およびフレーム側通過口３４を、略水平方向に沿って通過して、現像部３２内へ供給される。つまり、内側通過口８９が開かれ、内側通過口８９でのトナーの通過が許容される。
【００９９】
なお、トナーを、現像部３２とトナーカートリッジ３１との間で循環させてもよい。その場合、幅方向中央のカートリッジ側通過口４７（図９参照）およびフレーム側通過口３４（図６参照）を介して、トナーカートリッジ３１のトナーが現像部３２内に供給され、オーガ３９によって幅方向両側に搬送されながら供給ローラ３６に供給される。その一方で、一部のトナーは、幅方向両側のフレーム側通過口３４およびカートリッジ側通過口４７を介して、トナーカートリッジ３１内へ戻される。
【０１００】
（３−２）プロセスフレームに対するトナーカートリッジの離脱
プロセスフレーム２２からトナーカートリッジ３１を離脱させるには、まず、揺動アーム７０を、押圧位置から押圧解除位置（図３（ａ）参照）へ揺動させる。
【０１０１】
揺動アーム７０を押圧位置から押圧解除位置へ揺動させると、図５を参照して、各受入凹部７５に嵌合されている各スライド突起８６が、各アーム側板７２の揺動に伴なって、各スライド穴９９を前側へスライドし始める。これに応じて、内側筐体８１が、開位置から閉位置へ向けて移動し始め、図２に示す幅方向両側の１対の挟持突起８７が、シャッタ６８を挟持したまま、各長孔１０１を上側へスライドし始める。
【０１０２】
内側筐体８１が閉位置へ向ってさらに移動すると、トナーシール９２の上側周縁部１１０Ｂおよび下側周縁部１１０Ａが、外側周壁９７において外側通過口１０２の上側周縁をなす部分（上側接触部分１１８という。）に順に接触して内側周壁８３側に圧縮されながら、外側周壁９７と内側周壁８３との間に潜り込んでいく（図２、図１０および図１１参照）。
【０１０３】
また、内側筐体８１が閉位置へ向って移動すると、図５を参照して、各スライド突起８６が各スライド穴９９の前端部に配置され、幅方向両側の１対の挟持突起８７が、シャッタ６８を挟持したまま、各長孔１０１を上側へスライドして、各長孔１０１の上端部に配置される。
【０１０４】
これによって、図１１に示すように、トナーカートリッジ３１では、内側筐体８１が閉位置に配置され、外側通過口１０２および内側通過口８９が、上述したように、ともに閉鎖される。そして、内側通過口８９が閉じられることによって、内側通過口８９でのトナーの通過が規制される。また、内側筐体８１と係合するシャッタ６８が、内側筐体８１と一体的に移動して閉位置に配置され、フレーム側通過口３４およびフレームシール５８の切欠部分５９が、シャッタ６８と対向して閉鎖される（図３参照）。
【０１０５】
そして、上把持板１０４および下把持板１０７を、それらが近接する方向に挟持すると、係止爪１０６の下側固定部６７に対する係止が解除される。そのため、図５に示すように、そのままトナーカートリッジ３１をカートリッジ保持部３３から前側へ引き出せば、スライド突起８６が受入凹部７５から外れ、挟持突起８７がシャッタ６８から外れる。これにより、内側筐体８１の、揺動アーム７０およびシャッタ６８のそれぞれに対する係合が解除され、トナーカートリッジ３１は、プロセスフレーム２２から脱離される。
【０１０６】
３．トナーシールの詳細
（１）第１実施例
図１２（ａ）は、従来例に係るトナーカートリッジ（内側筐体が開位置にある状態）の左側断面図であり、図１２（ｂ）は、図１２（ａ）に第１実施例を適用した図であり、図１２（ｃ）は、図１２（ｂ）におけるトナーカートリッジの背面図である。
【０１０７】
図１２（ａ）に示すように、従来例に係るトナーカートリッジ３１では、内側筐体８１が開位置に配置された状態において、各トナーシール９２の内側周縁部１１０は、その径方向外側面が外側周壁９７の外表面とほぼ面一となるように、径方向外側へ突出している。そして、各トナーシール９２において、内側周縁部１１０以外の外側周縁部１１１は、対応する内側通過口８９を取り囲むように、外側周壁９７と内側周壁８３との間で圧縮されている。つまり、この状態において、トナーシール９２には、内側周縁部１１０と外側周縁部１１１との境界１２３において段付き部分が形成されている。
【０１０８】
この場合、トナーシール９２では、内側周縁部１１０が、境界１２３に段付き部分が形成された影響を受けて不必要に変形し（歪み）、シャッタ６８のシャッタ開口部６９を隙間なく取り囲むことができないおそれがある。詳しくは、内側周縁部１１０において、下側周縁部１１０Ａが、フレームシール５８の内側周縁部６１の下側周縁部６１Ａ（図６参照）に完全に圧接されず、上側周縁部１１０Ｂが、シャッタ６８（シャッタ６８におけるシャッタ開口部６９より上側の部分）に完全に圧接されない。この場合、内側通過口８９とフレーム側通過口３４との間でのトナー漏れを完全に防止することが困難である。
【０１０９】
つまり、トナーシール９２が不必要に変形し、トナーシール９２において変形した箇所（内側周縁部１１０）でトナー漏れが発生するおそれがある。
【０１１０】
そこで、第１実施例では、図１２（ｂ）および図１２（ｃ）に示すように、トナーシール９２全体が、内側通過口８９が開かれた状態（内側筐体８１が開位置にある状態）において、内側通過口８９でのトナーの通過方向Ｘ（略前後方向であり、図１２（ｂ）の太線矢印参照）から投影したときに、外側筐体８２と重なる位置とは異なる位置（外側筐体８２と重ならない位置）に配置されている。
【０１１１】
詳しくは、トナーシール９２全体は、上述したトナーの通過方向Ｘ（略前後方向）から投影したときに、図１２（ｃ）に示すように、外側筐体８２において外側通過口１０２を縁取る部分（周縁部８２Ａ）と重なる位置とは異なる位置（周縁部８２Ａと重ならない位置）に配置されることにより、外側通過口１０２から露出されている。つまり、周縁部８２Ａに囲まれた領域内で、トナーシール９２全体（トナーシール９２の前面および上下左右の各端面）が露出されている。
【０１１２】
そのため、内側通過口８９が開かれた状態において、トナーシール９２には、上述した従来例（図１２（ａ）参照）と異なり、外側周壁９７と内側周壁８３との間で圧縮されている部分が存在しない（図１２（ｂ）参照）。
【０１１３】
つまり、内側通過口８９が開かれた状態では、トナーシール９２は、外側筐体８２、詳しくは、外側筐体８２において外側通過口１０２を縁取る周縁部８２Ａに接触することなく、外側通過口１０２から完全に露出されるので、トナーシール９２が、外側筐体８２との接触によって変形することを防止できる。
【０１１４】
また、この状態において、トナーシール９２は、外側筐体８２（詳しくは外側周壁９７）の外表面よりも外側へ突出している（図１２（ｂ）参照）。そのため、トナーシール９２は、トナーカートリッジ３１からトナーが供給される外部の部材（上述したシャッタ６８等）に密着して、この部材と内側通過口８９との間でのトナーの漏れを防止することができる。
【０１１５】
（２）第２実施例
図１２（ｂ）を参照して、トナーシール９２では、内側筐体８１を開位置から閉位置へ向けて外側筐体８２に対して相対移動させるときに、下側周縁部１１０Ａの上端面１１０Ｃと、外側周縁部１１１の上端面１１１Ａとが、外側筐体８２の上側接触部分１１８（外側周壁９７において外側通過口１０２の上側周縁をなす部分）に下から対向してそれぞれ接触する。ここで、上述した上側接触部分１１８は、第１フレーム側対向部分の一例として機能する。また、トナーシール９２における下側周縁部１１０Ａの上端面１１０Ｃおよび外側周縁部１１１の上端面１１１Ａは、シール側対向部分の一例として機能する。
【０１１６】
そして、外側筐体８２の上側接触部分１１８には、傾斜面１２２が形成されている。具体的には、上側接触部分１１８の傾斜面１２２は、上側接触部分１１８の下端面１１８Ａおよび外側周壁９７の内周面９７Ａのそれぞれに交差しつつ、これらの面に接続されている。
【０１１７】
このように上側接触部分１１８に傾斜面１２２を設けることにより、内側筐体８１が外側筐体８２に対して閉位置へ向けて相対移動するときに、トナーシール９２では、下側周縁部１１０Ａの上端面１１０Ｃと上側接触部分１１８とを、上側接触部分１１８の傾斜面１２２において緩やかに接触させることができる。そのため、上端面１１０Ｃと上側接触部分１１８とが接触しても、トナーシール９２が上端面１１０Ｃにおいて損傷することを防止できる。
【０１１８】
同様に、内側筐体８１が外側筐体８２に対して閉位置へ向けて相対移動するときに、トナーシール９２では、外側周縁部１１１の上端面１１１Ａと上側接触部分１１８とを、上側接触部分１１８の傾斜面１２２において緩やかに接触させることができ、トナーシール９２が上端面１１１Ａにおいて損傷することを防止できる。
【０１１９】
また、上述したように、トナーシール９２において、下側周縁部１１０Ａの上端面１１０Ｃと上側接触部分１１８とが、上側接触部分１１８の傾斜面１２２において緩やかに接触する。そのため、このように外側筐体８２が内側筐体８１の外側に配置された場合では、内側筐体８１が外側筐体８２に対して閉位置へ向けて相対移動するときに、トナーシール９２は、上端面１１０Ｃにおいて外側筐体８２（上側接触部分１１８）に引っ掛かることなく、外側筐体８２の内側へ円滑に移動することができる。
【０１２０】
同様に、トナーシール９２は、外側周縁部１１１の上端面１１１Ａにおいて外側筐体８２（上側接触部分１１８）に引っ掛かることなく、外側筐体８２の内側へ円滑に移動することができる。
【０１２１】
特に、内側筐体８１が開位置にある状態においてこのようにトナーシール９２が外側周壁９７の外表面よりも外側へ突出していても、内側筐体８１が外側筐体８２に対して閉位置へ向けて相対移動するときに、トナーシール９２は、上述した上端面１１０Ｃおよび上端面１１１Ａにおいて外側筐体８２（上側接触部分１１８）に引っ掛かることなく、外側筐体８２の内側へ円滑に移動することができる。
【０１２２】
なお、このように機能する傾斜面１２２が、トナーシール９２において外側筐体８２（上側接触部分１１８）に対向および接触する部分（下側周縁部１１０Ａの上端面１１０Ｃおよび外側周縁部１１１の上端面１１１Ａ）に形成されていてもよい（たとえば、図１２（ｂ）の下側周縁部１１０Ａにおいて太い破線で示した傾斜面１２２を参照）。ここで、たとえば、内側周壁８３の下側周縁部１１６（内側通過口８９の下側周縁をなす部分）の後側部分を面取りしておけば（図１２（ｂ）において点線で示した面取り部分１１７を参照）、トナーシール９２を貼着すると、トナーシール９２の下側周縁部１１０Ａの上端面１１０Ｃには、上述した傾斜面１２２と同様の傾斜面が、自然に形成される。
【０１２３】
４．変形例
（１）変形例１
上記した実施形態では、図１に示すように、プロセスカートリッジ１７は感光ドラム２５と現像ローラ３７とを一体的に備えており、そのプロセスカートリッジ１７を本体ケーシング２に着脱自在に装着させている。これに加えて、たとえば、プロセスカートリッジ１７を、感光ドラム２５を備えない現像カートリッジとする一方で、感光ドラム２５を備える別のユニット（ドラムカートリッジ）を設け、このドラムカートリッジに対して現像カートリッジを着脱自在に装着してもよい。また、プロセスカートリッジ１７を本体ケーシング２に装着したまま、トナーカートリッジ３１のみを着脱自在に構成してもよい。
【０１２４】
さらに、本体ケーシング２に、感光ドラム２５、スコロトロン型帯電器２６および転写ローラ２８を設けて、その本体ケーシング２に、現像カートリッジを着脱自在に装着することもできる。ここで、現像カートリッジに対してトナーカートリッジ３１が着脱され、現像カートリッジにシャッタ６８が設けられる。
【０１２５】
（２）変形例２
上記した実施形態では、モノクロのレーザプリンタ１を例示したが、たとえば、本考案の画像形成装置は、カラーレーザプリンタ（タンデムタイプ、中間転写タイプを含む。）として構成することもできる。
【０１２６】
（３）変形例３
上記した実施形態では、内側筐体８１を外側筐体８２内に収容し、内側筐体８１を開位置と閉位置との間で回動させることによって、内側筐体８１の内側通過口８９を開閉させている。
【０１２７】
ここで、外側筐体８２は、上述した中空体でなく、代わりに、シャッタ６８に似た板状をなしていてもよい（図２および図６参照）。
【符号の説明】
【０１２８】
１        レーザプリンタ
２        本体ケーシング
１７      プロセスカートリッジ
３１      トナーカートリッジ
８１      内側筐体
８２      外側筐体
８２Ａ    周縁部
８９      内側通過口
９２      トナーシール
１０２    外側通過口
１１０Ｃ  上端面
１１１Ａ  上端面
１１８    上側接触部分
１２２    傾斜面
Ｘ        通過方向
【図１】
0003167176.tif 000003
【図２】
0003167176.tif 000004
【図３】
0003167176.tif 000005
【図４】
0003167176.tif 000006
【図５】
0003167176.tif 000007
【図６】
0003167176.tif 000008
【図７】
0003167176.tif 000009
【図８】
0003167176.tif 000010
【図９】
0003167176.tif 000011
【図１０】
0003167176.tif 000012
【図１１】
0003167176.tif 000013
【図１２】
0003167176.tif 000014